(57)【要約】【課題】電化製品を使用するための電源を好適に確保することができ、使用者の利便性を高めることが可能な対面式キッチンを提供することを目的とする。【解決手段】本発明にかかる対面用キッチン（キッチン１００）の構成は、天板１１０と、天板１１０に設けられたコンロ１１２と、コンロ１１２の対面側に配置されるフロントスクリーン１２０と、フロントスクリーン１２０の下部を支持する台座１３０と、台座１３０に設けられた少なくとも１つのコンセント１３２と、を備えることを特徴とする。【選択図】図２
2020089607.tif 000002
【特許請求の範囲】
【請求項１】
天板と、
前記天板に設けられたコンロと、
前記コンロの対面側に配置されるフロントスクリーンと、
前記フロントスクリーンの下部を支持する台座と、
前記台座に設けられた少なくとも１つのコンセントと、
を備えることを特徴とする対面用キッチン。
【請求項２】
前記コンセントは、前記台座の一対の端面のうち、少なくとも一方の端面に設けられることを特徴とする請求項１に記載の対面用キッチン。
【請求項３】
当該キッチンは、前記天板のうち前記コンロと隣接する領域に配置された調理スペースを更に備え、
前記コンセントは、前記台座の一対の端面のうち、前記調理スペース側の端面に設けられていることを特徴とする請求項２に記載の対面用キッチン。
【請求項４】
前記コンセントは、前記台座の前面および後面のうち、少なくとも一方に設けられることを特徴とする請求項１に記載の対面用キッチン。
【請求項５】
前記台座は、
前記フロントスクリーンの左右両側の下部を支持する一対の台座ブロックと、
前記一対の台座ブロックの間で延びて該台座ブロックに取り付けられるカバーと、
を有し、
前記天板には電源コードを引き出す引出穴が形成されていて、
前記引出穴は、前記カバーの内部において、前記フロントスクリーンに対して前記コンロとは反対側に位置することを特徴とする請求項１から４のいずれか１項に記載の対面用キッチン。
【請求項６】
前記台座は、
前記台座の端部に取り付けられるフェイスプレートと、
前記フェイスプレートの表面を上下方向にスライド可能なコンセント用蓋を有することを特徴とする請求項１から５のいずれか１項に記載の対面用キッチン。
【請求項７】
前記コンセント用蓋の内側の下部には突起が形成されていて、
前記フェイスプレートの前面の上部には、前記突起が係合する係合穴が形成されていることを特徴とする請求項６に記載の対面用キッチン。
【請求項８】
前記台座は、前記コンセントの上方を覆う庇を有することを特徴とする請求項１から７のいずれか１項に記載の対面用キッチン。
【請求項９】
前記台座の幅は、前記コンロの幅よりも長く、
前記コンセントは、前記コンロの端よりも外側に配置されていることを特徴とする請求項１から８のいずれか１項に記載の対面用キッチン。
【発明の詳細な説明】
【技術分野】
【０００１】
本発明は、天板、天板に設けられたコンロと、およびコンロの対面側に配置されるフロントスクリーンを備える対面用キッチンに関する。
【背景技術】
【０００２】
近年、シンクやコンロが壁に沿うようにキッチンが壁に接して配置されている従来の壁付きキッチンに加えて、キッチンが壁から離間して配置されている対面式キッチンの需要が増している。例えば、特許文献１の対面式キッチンでは、キャビネットの上部を覆って取付けられた天板部において、前方側に位置して左右方向に延びた前方側作業領域と、後方側に位置して左右方向に延びた後方側作業領域とを確保している。かかる構成によれば、天板部の前方側作業領域および後方側作業領域において２人の使用者がそれぞれ独立して同時に作業を行うことができる。
【先行技術文献】
【特許文献】
【０００３】
【特許文献１】特開２００９−７７９４６号公報
【発明の概要】
【発明が解決しようとする課題】
【０００４】
ここで、キッチンでは、炊飯器や電気ケトル、ミキサー等、多くの電化製品が使用される。従来の壁付きキッチンでは、壁にコンセントが設けられていたため、電化製品を使うための電源を好適に確保することができていた。しかしながら、対面式キッチンは壁から離間して配置されている。このため、キッチンから離れた場所に配置されたコンセントを使わざるを得ないことが多く、電化製品を使いづらいという課題を有する。
【０００５】
本発明は、このような課題に鑑み、電化製品を使用するための電源を好適に確保することができ、使用者の利便性を高めることが可能な対面式キッチンを提供することを目的としている。
【課題を解決するための手段】
【０００６】
上記課題を解決するために、本発明にかかる対面用キッチンの代表的な構成は、天板と、天板に設けられたコンロと、コンロの対面側に配置されるフロントスクリーンと、フロントスクリーンの下部を支持する台座と、台座に設けられた少なくとも１つのコンセントと、を備えることを特徴とする。
【０００７】
対面式キッチンでは、コンロからはねた油の室内への飛散を防止するために、コンロの対面側にガード用のプレート（以下、フロントスクリーンと称する）が配置される。このフロントスクリーンにコンセントを設けることにより、電化製品を使用するための電源を好適に確保することができ、使用者の利便性を高めることが可能となる。
【０００８】
上記コンセントは、台座の一対の端面のうち、少なくとも一方の端面に設けられるとよい。特に上記構成では、フロントスクリーンを支持する台座の端面にコンセントを設けているため、キッチンのコンロ側で作業している使用者、およびキッチンの対面側で作業している使用者の両方がコンセントに良好にアクセスすることができる。したがって、複数人での料理作業をより効率的に行うことが可能となる。
【０００９】
当該キッチンは、天板のうちコンロと隣接する領域に配置された調理スペースを更に備え、コンセントは、台座の一対の端面のうち、調理スペース側の端面に設けられているとよい。かかる構成によれば、調理スペースにおいて使用している電化製品の電源をコンセントから取ることができる。したがって、キッチンにおける利便性を更に高めることが可能となる。
【００１０】
上記コンセントは、台座の前面および後面のうち、少なくとも一方に設けられるとよい。これにより、キッチンのコンロ側で作業している使用者、およびキッチンの対面側で作業している使用者の一方がコンセントに特に良好にアクセスすることができる。
【００１１】
上記台座は、フロントスクリーンの左右両側の下部を支持する一対の台座ブロックと、一対の台座ブロックの間で延びて台座ブロックに取り付けられるカバーと、を有し、天板には電源コードを引き出す引出穴が形成されていて、引出穴は、カバーの内部において、フロントスクリーンに対してコンロとは反対側に位置するとよい。これにより、電源コードをコンロから離れた位置で引き回すことができる。したがって、コンロの熱が電源コードに伝わることを好適に防ぐことが可能となる。
【００１２】
上記台座は、台座の端部に取り付けられるフェイスプレートと、フェイスプレートの表面を上下方向にスライド可能なコンセント用蓋を有するとよい。これにより、コンセントを使用していないときはコンセント用蓋を閉めておくことにより、コンセントの水濡れを確実に防ぐことができる。
【００１３】
上記コンセント用蓋の内側の下部には突起が形成されていて、フェイスプレートの前面の上部には、突起が係合する係合穴が形成されているとよい。これにより、コンセントを使用している際には、コンセント用蓋の突起を係合穴に係合させ、コンセント用蓋を開いた状態でロックすることができる。
【００１４】
上記台座は、コンセントの上方を覆う庇を有するとよい。これにより、コンセントの水濡れをより確実に防ぐことが可能となる。
【００１５】
上記台座の幅は、コンロの幅よりも長く、コンセントは、コンロの端よりも外側に配置されているとよい。これにより、コンロの熱がコンセントに伝わることを好適に防ぐことができる。
【発明の効果】
【００１６】
本発明によれば、電化製品を使用するための電源を好適に確保することができ、使用者の利便性を高めることが可能な対面式キッチンを提供することができる。
【図面の簡単な説明】
【００１７】
【図１】本実施形態にかかる対面用キッチンの全体図である。
【図２】コンロ近傍の拡大図である。
【図３】台座の詳細図である。
【図４】台座の詳細図である。
【図５】コンセント用蓋の詳細を説明する図である。
【図６】フェイスプレートの詳細を説明する図である。
【図７】コンロの幅と台座の幅の関係について説明する図である。
【発明を実施するための形態】
【００１８】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１９】
図１は、本実施形態にかかる対面用キッチン（以下、キッチン１００と称する）の全体図であり、キッチンを使用者が使用する側から観察した状態を示している。図２は、コンロ１１２近傍の拡大図である。図２（ａ）は、コンロ１１２近傍を斜め側方から観察した拡大図であり、図２（ｂ）は、コンロ１１２近傍を対面側から観察した拡大図である。なお、理解を容易にするために、図２（ａ）および（ｂ）では、後述する台座１３０のカバー１６０を取り外した状態を示している。
【００２０】
図１に示すように、本実施形態のキッチン１００は１枚の天板１１０（ワークトップ）の下に収納庫１０２を備えている。天板１１０は合成樹脂（人工大理石）やステンレスなどからなり、キッチン１００の全体の上面を覆っている。
【００２１】
キッチン１００はいわゆるシステムキッチンであり、天板１１０には、組み込み式に設けられたコンロ１１２、調理スペース１１４、シンク１１６が設けられている。天板１１０のうち、コンロ１１２と隣接する領域に配置された調理スペース１１４は、平坦な面であり、主に調理を行うのに利用される。
【００２２】
本実施形態のキッチン１００は、調理をする利用者（不図示）が対向する面が壁に接していない対面式キッチンである。なお、本実施形態では、キッチン１００の短辺が壁に接していない構成（いわゆるアイランドキッチン）を例示したが、これに限定するものではない。キッチン１００の短辺が壁に接している対面式キッチンにおいても本発明を適用することができる。
【００２３】
図１および図２（ｂ）に示すように、キッチン１００では、コンロ１１２からはねた油の室内への飛散を防止するために、コンロ１１２の対面側にガード用のプレート（以下、フロントスクリーン１２０と称する）が配置される。フロントスクリーン１２０の下部は、台座１３０によって支持されている。
【００２４】
本実施形態のキッチン１００では、図２（ａ）に示すように台座１３０の端面１３０ａにコンセント１３２を設ける。これにより、キッチン１００において電化製品１０４（図１参照）を使用するための電源を好適に確保することができ、使用者の利便性を高めることが可能となる。
【００２５】
特に本実施形態のように台座１３０の端面１３０ａにコンセント１３２を設けることにより、キッチン１００のコンロ側で作業している使用者、およびキッチン１００の対面側で作業している使用者の両方がコンセント１３２に良好にアクセスすることができる。したがって、複数人での料理作業をより効率的に行うことが可能となる。
【００２６】
また本実施形態では、図１および図２（ｂ）に示すように、コンセント１３２は、台座１３０の一対の端面１３０ａ・端面１３０ｂのうち、調理スペース１１４側の端面１３０ａに設けられている。これにより、調理スペース１１４において使用している電化製品１０４の電源をコンセント１３２から取ることができるため、キッチン１００における利便性を更に高めることが可能となる。
【００２７】
なお、本実施形態では、台座１３０の端面１３０ａにコンセント１３２を設ける構成を例示したが、これに限定するものではなく、端面１３０ａではなく、台座１３０の前面や後面にコンセント１３２を設ける構成とすることも可能である。また本実施形態では、台座１３０に対して１つのコンセント１３２を設ける構成を例示したが、これにおいても限定されず、台座１３０に対して２つ以上のコンセント１３２を設ける構成としてもよい。
【００２８】
図３および図４は、台座１３０の詳細図である。図３は、台座ブロック１４０ａ・１４０ｂ、カバー１６０およびコンセント用蓋１７０を分解した状態の斜視図であり、図４は、カバー１６０以外の部材を分解した状態の斜視図である。図３に示すように、台座１３０は、主に、一対の台座ブロック１４０ａ・１４０ｂ、カバー１６０およびコンセント用蓋１７０を含んで構成される。
【００２９】
一対の台座ブロック１４０ａ・１４０ｂは、フロントスクリーン１２０（図２（ｂ）参照）の左右両側の下部をそれぞれ支持する。台座ブロック１４０ａは、フロントスクリーン１２０の調理スペース１１４側（図２（ｂ）では左側）の下部を挟んで支持する。台座ブロック１４０ｂは、フロントスクリーン１２０の調理スペース１１４とは反対側（図２（ｂ）では右側）の下部を支持する。本実施形態では、一対の台座ブロック１４０ａ・１４０ｂのうち、左側に配置される台座ブロック１４０ａにコンセント１３２を設けている。一対の台座ブロック１４０ａ・１４０ｂは、コンセント１３２の有無以外は、共通の部品を用いている。
【００３０】
台座ブロック１４０ａ・１４０ｂは、ベースプレート１４２の上面に挟持ブロック１４４が取り付けられる。フロントスクリーン１２０の下部は、かかる挟持ブロック１４４によって挟持される。ベースプレート１４２の側面とコンセント１３２を取付金具１４８によって締結することにより、台座ブロック１４０ａにおいてコンセント１３２を良好に支持することができる。
【００３１】
ベースプレート１４２の側面に、台座１３０の端面を形成するフェイスプレート１５０を取り付けることにより、台座ブロック１４０ａ・１４０ｂが図３に示す状態となる。フェイスプレート１５０は、コンセント用蓋１７０を除けば、最も台座１３０の端部に配置される部材であり、実質的には台座１３０の端部に取り付けられる部材である。そして、フェイスプレート１５０には、後述するコンセント用蓋１７０が取り付けられる。
【００３２】
カバー１６０は、一対の台座ブロック１４０ａ・１４０ｂの間で延びる部材であり、台座ブロック１４０ａ・１４０ｂに取り付けられる。これにより、一対の台座ブロック１４０ａ・１４０ｂがカバー１６０によって覆われた状態となり、台座１３０は、図１に示す状態となる。
【００３３】
再度、図２（ａ）および（ｂ）を参照する。図２（ｂ）に示すように、天板１１０には、電源コード１０６を引き出すための引出穴１１８が形成されている。この引出穴１１８は、図２（ｂ）に示すように、カバー１６０の内部において、フロントスクリーン１２０に対してコンロ１１２とは反対側、すなわち対面側に位置する。
【００３４】
上記構成のように、引出穴１１８をカバー１６０の内部に配置することにより、コンロ１１２において飛び散った油の電源コード１０６への付着を好適に防ぐことができる。またフロントスクリーン１２０に対してコンロ１１２とは反対側に引出穴１１８を配置することにより、電源コード１０６をコンロ１１２から離れた位置で引き回すことができる。したがって、コンロ１１２の熱が電源コード１０６に伝わることを好適に防ぐことが可能となる。
【００３５】
図５は、コンセント用蓋１７０の詳細を説明する図である。図５（ａ）は、フェイスプレート１５０からコンセント用蓋１７０を取り外した状態を示していて、図５（ｂ）は、フェイスプレート１５０にコンセント用蓋１７０を取り付けた状態を示している。
【００３６】
上述したように、本実施形態では、フェイスプレート１５０にはコンセント用蓋１７０が取り付けられる。詳細には、図５（ａ）に示すように、フェイスプレート１５０の縁にはスライドガイド１５２が立設していて、コンセント用蓋１７０には、スライドガイド１５２が挿通されるスライド溝１７２が形成されている。
【００３７】
上記構成によれば、図５（ｂ）に示すように、コンセント用蓋１７０は、フェイスプレート１５０の表面を上下方向にスライド可能な状態となる。したがって、コンセント１３２を使用していないときはコンセント用蓋１７０を閉めておくことにより、コンセント１３２に水がかかってしまうことを確実に防ぐことができる。
【００３８】
また本実施形態では、図５（ａ）に示すように、コンセント用蓋１７０の内側の下部には突起１７４が形成されていて、フェイスプレート１５０の前面の上部には、突起１７４が係合する係合穴１５４が形成されている。これにより、コンセント１３２を使用している際には、コンセント用蓋１７０の突起１７４を係合穴１５４に係合させることで、コンセント用蓋１７０を持ち上げた状態、すなわちコンセント用蓋１７０を開いた状態でロックすることができる。したがって、使用者の利便性を高めることが可能となる。
【００３９】
図６は、フェイスプレート１５０の詳細を説明する図である。図６に示すように、本実施形態では、台座１３０を構成する部材のうち、フェイスプレート１５０に、コンセント１３２の上方を覆う庇１５６を形成している。これにより、万が一、カバー１６０の隙間から水が浸入した場合であっても、その水は、庇１５６を伝い、コンセント１３２に至ることなく下方に流れ落ちる。図６では、侵入する水の進路を破線の矢印で例示している。したがって、コンセント１３２の通電部の水濡れをより確実に防ぐことができ、十分な安全性を確保することが可能となる。
【００４０】
図７は、コンロ１１２の幅と台座１３０の幅の関係について説明する図である。理解を容易にするために、図７（ａ）および（ｂ）では、カバー１６０を破線にて図示している。図７（ａ）に示す例では、台座１３０の幅をコンロ１１２の幅と等しくしている。これにより、台座１３０ひいてはフロントスクリーン１２０とコンロ１１２の一体感を高めることができ、高い美観が得られる。
【００４１】
一方、図７（ｂ）に示す例では、台座１３０の幅をコンロ１１２の幅よりも長くし、コンロ１１２の端よりも外側にコンセント１３２を配置している。かかる構成によれば、図７（ａ）の構成に比してコンセント１３２をコンロ１１２から離すことができる。したがって、コンロ１１２の熱がコンセント１３２に伝わることを好適に防ぐことができる。
【００４２】
また図７（ｂ）に示す例では、天板１１０に台座ブロック１４０ａを締結するための穴を、コンセントを設けない場合と同じ位置にすることができる。すなわち、台座１３０の両側にコンセントなしの台座ブロック１４０ｂを設ける場合と、穴の位置を共通にすることができる。したがってコンセントの有無にかかわらず共通の天板１１０を用いることができるため、生産性を向上させることができる。
【００４３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４４】
本発明は、天板、天板に設けられたコンロと、およびコンロの対面側に配置されるフロントスクリーンを備える対面用キッチンに利用することができる。
【符号の説明】
【００４５】
１００…キッチン、１０２…収納庫、１０４…電化製品、１０６…電源コード、１１０…天板、１１２…コンロ、１１４…調理スペース、１１６…シンク、１１８…引出穴、１２０…フロントスクリーン、１３０…台座、１３０ａ…端面、１３０ｂ…端面、１３２…コンセント、１４０ａ…台座ブロック、１４０ｂ…台座ブロック、１４２…ベースプレート、１４４…挟持ブロック、１４８…取付金具、１５０…フェイスプレート、１５２…スライドガイド、１５４…係合穴、１５６…庇、１６０…カバー、１７０…コンセント用蓋、１７２…スライド溝、１７４…突起
【図１】
2020089607.tif 000003
【図２】
2020089607.tif 000004
【図３】
2020089607.tif 000005
【図４】
2020089607.tif 000006
【図５】
2020089607.tif 000007
【図６】
2020089607.tif 000008
【図７】
2020089607.tif 000009